(57)【要約】【課題】  開口部が円形である容器フランジ部の口径に差異が発生しても、確実に嵌合できる容器蓋体を提供する。【解決手段】  開口部が円形である容器のフランジ部２に嵌め合わされる容器蓋体１において、該蓋体の嵌合部内周壁に、周方向に沿って凹部３、凸部４が形成されてなり、該蓋体の中心部に向かって突出される、凸部４の略中央部に突部５が設けられていること特徴とする容器蓋体を提供する。【選択図】図３
2008239244.tif 000002
【特許請求の範囲】
【請求項１】
開口部が円形である容器のフランジ部に嵌め合わされる容器の蓋体において、該蓋体の嵌合部内周壁に、周方向に沿って凹凸部が形成されてなり、該蓋体の中心部に向かって突出される凸部の略中央部に突部が設けられていることを特徴とする容器の蓋体。
【発明の詳細な説明】
【技術分野】
【０００１】  本発明は、新規な嵌合機能を備える容器蓋体に関する。詳細には、容器開口の周辺フランジ部の口径寸法差異に対応して確実に嵌合できる容器蓋体の改良に関するものである。
【背景技術】
【０００２】  例えば飲料を包装する開口部が円形の合成樹脂容器、紙容器では、開口部の周辺フランジ部に密着する密封シールにより密閉され、その容器密封シールを閉塞する蓋体を装着するのが一般的である。【０００３】  該蓋体においては、ストロー挿入口が開口されており、そのストロー挿入口よりストローを挿入し内容物を摂取するようになっている。【０００４】  このため、密封シートを閉塞する蓋体には脱落防止を目的とし、確実な嵌合強度が強く要求される。【０００５】  この要求に応えるため、飲料等を包装する開口部が円形の容器本体においては、容器開口部周辺フランジ部外径に合わせて、蓋体嵌合部の径寸法や、嵌合部内周壁に突出される突起形状や寸法等を工夫することが行われていた（例えば、特許文献１参照。）。
また、径寸法の異なる嵌合部を、上下に複数設けたタイプで解決しようとする提案もあった（例えば、特許文献２参照）。
【特許文献１】  特開２００２−３３７９００号  公報
【特許文献２】  登録実用新案第３０７３８１９号  公報
【発明の開示】
【発明が解決しようとする課題】
【０００６】  以上に述べた従来の蓋体においては、次の技術的課題があった。まず、容器蓋体が嵌合する容器フランジ部は、同一規格の容器であっても、内容物の殺菌手法（即ち、加熱温度の違い）により反り上がり等の変形が発生し、フランジ部の外口径が大きく変化するという問題があった。また、同一口径規格の容器にあっても、各容器製造会社によって容器フランジ部の外口径に微妙な差異が生じるという問題も抱えていた。【０００７】  このため、同一口径規格の容器向けに成形された容器蓋体が、嵌合相手である容器内容物の殺菌手法や属性により、嵌合強度が弱くなったり強くなり過ぎたりするという事態が起こり、同一口径規格容器向け蓋体においても、一定の嵌合強度を確保することは困難を極めた。【０００８】  そこで、従来は容器の殺菌手法毎に嵌合部の口径寸法や、嵌合部内周壁に突出される突起形状や、寸法等の異なる容器蓋体を用意しなければならず、生産現場のキャッピング工程（蓋体の嵌合）においては、各々の容器蓋体に合わせて機械を調整する必要があった。また、梱包工程においては、誤装着のあった容器蓋体が脱落するといった問題を常に抱えていた。更に、径寸法の異なる嵌合部を、上下に複数設けたタイプの蓋体においては、装着ストロークが違ってくる。その為、キャッピング工程で装着不良が発生することがあった。【０００９】  本発明は、容器内容物の殺菌手法や容器属性による口径差異にも対応して、確実に嵌合をする容器蓋体を提供しようとするものである。
【課題を解決するための手段】
【００１０】  上記目的を達成して、上記技術的課題を解決するために、本発明では、次の手段を採用する。まず、本発明では、開口部円形の容器を閉塞する容器蓋体に関して、容器のフランジ部に嵌め合わされる容器蓋体において、該蓋体の嵌合部内周壁に、周方向に沿って凹凸部が形成されている。【００１１】  更に、本発明では、容器蓋体の中心部に向かって突出される、凸部の略中央部に容器フランジ部に係止して、該蓋体の脱落防止機能を発揮する突部状の係止部を形成する。【００１２】  この手段では、殺菌手法により嵌め合わされる容器フランジ部が変形し、外口径が規格口径より小さい場合でも、容器蓋体の中心部に向かって突出される、凸部が確実に嵌め合わされ、該蓋体の略中心部に設けられた突部形状の係止部が蓋体の脱落を防止する。【００１３】  また、嵌め合わせる容器フランジ部の外口径が規格口径より微妙に大きい場合でも、該蓋体の中心部に向かって突出される、凸部が容器フランジ外周方向に沿って湾曲変形しながら広がり、容器フランジ部に確実に嵌めあわされる。【００１４】  更に、容器蓋体の嵌合部内周壁に、周方向に沿って形成された凹凸部の径の大きい凹部が、凸部の湾曲変形による力を吸収し分散させ、蓋体が変形や破損することを抑止する。【００１５】  この手段では、容器フランジ部の外口径が規格口径より微妙に大きい場合の嵌合強度が分散され、製造現場のキャッピング工程において、キャッピング強度を強くしたり、キャッピング時間を長くするといった、個々の調整の必要が無くなる。
【発明の効果】
【００１６】  以上のように、本発明に係る容器蓋体は、該蓋体の嵌合部内周壁の周方向に沿った凹凸部が、開口部が円形である容器フランジ部の口径差異を調整し、確実な嵌合を行う蓋体が得られる。従って、容器内容物の殺菌手法（即ち、加熱温度の違い）毎に、蓋体嵌合部の口径寸法や、嵌合部内周壁に突出される突起形状・寸法等の異なった、蓋体を用意するという必要性がなくなる。また、径寸法の異なる嵌合部を上下に複数設けたタイプの蓋体では、殺菌手法毎にキャッピング工程における、装着ストロークが異なってくるが、本発明の蓋体では装着ストロークの長さを調整する必要がない。
【発明を実施するための最良の形態】
【００１７】  以下、本発明の実施の形態を図１〜図５に基づいて説明する。【００１８】  図１、図２が示すように、開口部が円形である容器のフランジ部２に嵌め合わされる容器蓋体１において、該蓋体１の嵌合部内周壁に、周方向に沿って凹部３、凸部４が形成されてなり、該蓋体１の中心部に向かって突出される凸部４の略中央部に突部５が設けられている。尚、該蓋体１の嵌合部より奥部、即ち蓋体１の上部に、凹部３、凸部４と連続するように上凹部６、上凸部７が形成されている。【００１９】  上記蓋体１では、図３−（１）及び図５に実線で示すように、その嵌合部が嵌め合わされる容器フランジ部２外径が、規定寸法より小さい場合、該蓋体１の凸部４略中央部の突部５に、容器フランジ部２に係止して確実に嵌め合わされる。又、フランジ部２は突部５と上凸部７によって挟持されている。【００２０】  また、図４に実線で示すように、その嵌合部が嵌め合わされる容器フランジ部２外径が、規定寸法より大きい場合、凸部４が容器フランジ２外周方向に沿って湾曲変形しながら広がり（ａ１＞ａ２）、図５同様に容器フランジ部２が確実に凸部５に係止されて嵌め合わされる。【００２１】  該蓋体１の凹部３が湾曲変形しながら広がった凸部４の力を吸収し分散させ、蓋体１が変形や破損することを抑止する。従って、外径が規定寸法より大きい容器フランジ部２を嵌合する際にも安定的に蓋体１の嵌合が達成される。この際、上凹部６、上凸部７が形成されると湾曲変形の許容範囲が拡大し、フランジ部の誤差が大なる時も生産現場のキャッピング工程（蓋体の嵌合）で不良が起こることを大きく減少させることができる。
【図面の簡単な説明】
【００２２】
【図１】  蓋体の一例を使用状態と共に示す底面図。
【図２】  同上の蓋体を示す底面図。
【図３】  図１におけるＡ−Ａ線断面図（１）、Ｂ−Ｂ線断面図（２）。
【図４】  図１の拡大底面図。
【図５】  図４とは異なる容器フランジの嵌合状態を示す拡大底面図。
【符号の説明】
【００２３】  １  蓋体
２  容器フランジ部
３  凹部
４  凸部
５  突部
６  上凹部
７  上凸部
【図１】
2008239244.tif 000003
【図２】
2008239244.tif 000004
【図３】
2008239244.tif 000005
【図４】
2008239244.tif 000006
【図５】
2008239244.tif 000007